(57)【要約】【目的】携帯用かばんを遊び心のあるものにする。【構成】タンクバック１０の外観を、自動２輪車に搭載された燃料タンクの外観を模した形状にする。タンクバック１０の側面前部１１と側面後部１２はツートンカラーとし、特定表示１３を設け、上面１５にはキャップ模様１６を設ける。また、かばんとしての機能上必要なファスナー１７を上面１５に設け、かつ前面部２０には提げ手２１を設け、さらに横開き状のサブポケット２５を設ける。【選択図】  図２
2005230341.tif 000002
【特許請求の範囲】
【請求項１】
外観が車両用外観部品を模した形状であることを特徴とする携帯用かばん。
【請求項２】
前記車両用外観部品が自動２輪車の燃料タンク又はその外側を覆うタンクカバーであることを特徴とする請求項１の携帯用かばん。
【発明の詳細な説明】
【技術分野】
【０００１】
この発明は、外観に特徴がある携帯用かばんに関する。
【背景技術】
【０００２】
自動２輪車等の携帯用かばんとしてタンクバックが知られている。これは走行中に自動２輪車のタンク上へ取付けて使用し、降車時には車体から取り外して持ち運びできるようになっている。
また、自動２輪車の燃料タンクに限らず、自転車のフレーム等へ着脱自在に取り付けるようになっているものもある（特許文献１参照）。
【特許文献１】特開２００１−１２０３２５号公報
【発明の開示】
【発明が解決しようとする課題】
【０００３】
ところで、従来のかばんは、たとえ車両用であっても、本来の機能である物品の収容量や持ち運び等の実用的側面を重点的に着目して製造されていた。したがって、遊び心に乏しいものであり、かつ携帯時にはほとんど車両と無関係であった。
そこで本願発明は、遊び心に富んだ形状とし、かつ携帯時にも特定の車両を観念させることにより、公告宣伝効果も発揮できるようにすることを目的とする。
【課題を解決するための手段】
【０００４】
上記課題を解決するため本願の携帯用かばんに係る請求項１の発明は、外観が車両用外観部品を模した形状であることを特徴とする。
【０００５】
請求項２の発明は、上記請求項１において、前記車両用部品が自動２輪車の燃料タンク又はその外側を覆うタンクカバーであることを特徴とする。
【発明の効果】
【０００６】
請求項１によれば、携帯用かばんの外観を車両用外観部品に模した形状としたので、使用に際して実用性だけの印象にとどまらず、遊び心のある趣味的な好印象を得ることができる。しかも、この携帯用かばんを持ち運ぶことにより、広範囲の人々にその外観を見せ歩くことになり、その外観を模された特例の車両を観念することになるので、またファスナー取付部に機種名のついたタグを付けるとより宣伝効果があり、車両に対する公告・宣伝効果を上げることができる。
【０００７】
請求項２によれば、車両用部品を自動２輪車用燃料タンク又はその外側を覆うタンクカバーとしたので、携帯用かばんとして意表をつく、しかも遊び心にあふれたデザインにすることができる。しかも、自動２輪車の燃料タンクは、携帯用かばんに適した中空部品であり、かつ外観部品として洗練された形状を有するので、物品収納というかばんとしての本来の機能と遊び心のある優れた外観という双方の要件を兼備した携帯用かばんを作成するのに適したものとなる。また、収納容量を十分に確保でき、なおかつ物の出し入れが容易なかばんを提供できる。さらにタンクカバーを模した場合も同様である。
【発明を実施するための最良の形態】
【０００８】
以下、図面に基づいて一実施形態を説明する。図１は携帯用かばんが外観を模す対象となる自動２輪車の側面形状を示し、燃料タンク１は前輪２と後輪３の中間に配置されたエンジン４の上方にされている。燃料タンク１及びエンジン４は外観部品であり、同様の外観部品として、サイドカバー５，シート６等がある。
【０００９】
なお、本願において、タンクバック１０の前後・左右・上下とは、形状を模す対象の燃料タンク１における使用状態と同じ状態、すなわち図２に示す状態を基準として表現する。
【００１０】
燃料タンク１は、金属等の適宜材等からなる中空部品であり、車両のイメージを特定するような特に重要な外観部品であり、デザイン的に洗練されたものになっている。その側面前部７は後部８に対して異なる着色が施されたツートンカラーになっている。後部８はニーグリップ用の窪みが形成されている。また、上部にはキャップ９が設けられている。
【００１１】
図２は、上記自動２輪車の燃料タンク１を模したタンクバック１０の斜視図である。タンクバック１０は本願発明に係る携帯用かばんであり、燃料タンク１の外観を模したものである。この場合、この燃料タンクが搭載されている特定の車種を観念できる程度にその外観形状をできる限り忠実に再現することが望まれる。
【００１２】
したがって、タンクバック１０の全体における外観形状は可能な限り燃料タンク１に近似し、側面前部１１と側面後部１２は燃料タンク１と同様のツートンカラーに形成される。また、側面前部１１にはロゴや商標等、実際の燃料タンク１が備える特定表示１３が付されている。但しこの特定表示１３は、製造者や車種名等を観念させるものであるから、実際の燃料タンク１には存在しなくても、これらを観念できるような著名なロゴマーク等を付してもよい。
【００１３】
なお、外観は可能な限り忠実に実製品を再現することが望ましいが、かばんとしての機能上必要な限度で変形することはかまわない。したがって、形状を模す対象となる実際の燃料タンク１は側面部中央が上へ凸となるように湾曲しているが（図１参照）、タンクバック１０の底部１４の側面ラインはほぼストレートもしくはむしろ下方へ膨らむようにすることにより内容量を十分に確保できるようになっている。
【００１４】
また、上面１５の前部中央にはキャップ９に相当するキャップ模様１６が施されているが、これは上面１５上へ単に着色等により模様として表現しただけのものであり、実際のキャップ９のように上方へ突きだした厚みのあるものではない。但し、キャップ模様１６をこのような立体形状にすることは任意に可能である。
【００１５】
上面１５は前後方向へ長く、その中央には長手方向ほぼ全体に及ぶファスナー１７が設けられ、スライダー１８を例えば上側（提げ手２１側、図２にて左側）から下側（図２において右側）へ移動させて開き、逆方向へ移動させて閉じることにより上面を開閉できるようになっている。符号１９はタグであり、スライダー１８に取付けられたリング１８ａへ取付けられている。ファスナー１７を開けば大きなメイン開口部が形成されるので、ここより物品を上方から出し入れできる。
【００１６】
タンクバック１０の前面部２０には提げ手２１がアーチ状に取付けられてい
る。これを持つことにより、タンクバック１０を吊り下げた状態で携帯できる。なお、提げ手２１に代えて、もしくはこれと併用して肩掛けベルトを設け手もよい。
【００１７】
符号２２は内部へ中袋状に設けられたサブポケットである。サブポケット２２は前面部２０へ横開きするように設けられ（図４参照）、ここから携帯電話２３のような物品を出し入れできる。サブポケット２２は袋状をなしてタンクバック１０の内部へ延びており、ファスナー１７を開いてメイン開口部から物品を出し入れするとき、干渉したり混合しないようになっている。
【００１８】
図３はタンクバック１０の平面視であり、スライダー１８が上側へ一杯に移動するとファスナー１７が閉じられた状態になる。このとき、上面の略中央にはキャップ模様１６が見える。また、タグ１９は樹脂や皮革などの適宜素材からなり、機種名等を適宜表示するようになっている。
【００１９】
図４は携帯電話２３を使用するとき等における前面部２０を前方から示した図である。この図に明らかなように、携帯電話２３を出し入れするサブポケット２２の開口２４は底部１４近傍にあり、ガマグチ状に横開きする。また、開口２４は面ファスナー等の簡易な係合部材２５により開閉自在になっている。
【００２０】
図５は使用状態の一例であり、タンクバック１０を腰バンド２６へ取付けた状態を示す。符号２７はズボン、２７ａはバンド通し部である。図では見えないがタンクバック１０は底部１４に設けられた取付部材により腰バンド２６へ着脱自在である。取付部材は例えば、ループ状部材もしくは一端を底部１４へ着脱自在としたバンドなど、任意に構成できる。
【００２１】
図６はタンクバック１０の構成部を示し、予め立体裁断可能な材料、例えば、防水性のある化学繊維などを、各構成パーツに立体裁断し、これらを縫製等により組み立てて中空のタンクバック１０とする。図中の符号２８は背面部である。なお、このような構成パーツの材料として、皮，合皮，エナメル、ナイロン，布等がある。
【００２２】
また、この図からは見えないが、底部１４の下面に磁石等を取付けておくことにより、燃料タンク１上へ磁力で着脱するタンクバックとすることもできる。また、バンドなど他の取付部材を設ければ、燃料タンクへの固定のみならず、大きさや形状に考慮すれば、腰バンド２６に対する取付け（図５参照）やリュックサックのように背負うこともできる。
【００２３】
次に、本実施形態の作用を説明する。本実施形態においては、携帯用かばんの一例であるタンクバック１０の外観を車両用外観部品である燃料タンク１に模した形状としたので、使用に際して実用性だけの印象にとどまらず、遊び心のある趣味的な好印象を得ることができる。しかも、このタンクバック１０を持ち運ぶことにより、広範囲の人々にその外観を見せ歩くことになり、その外観を模された特例の車両を観念することになるので、車両に対する公告・宣伝効果を上げることができる。また、このタンクバック１０は図４のように腰バンド２６へ着脱自在に取付けることができ、携帯が容易になっている。
【００２４】
そのうえ、自動２輪車用燃料タンクの外観形状を模したので、携帯用かばんとして意表をつく、しかも遊び心にあふれたデザインにすることができる。しかも、自動２輪車の燃料タンクは、携帯用かばんに適した中空部品であり、かつ外観部品として洗練された形状を有するので、収納容量を十分に確保でき、なおかつ物の出し入れが容易なかばんを提供できる。そのうえ、物品収納というかばんとしての本来の機能と遊び心のある優れた外観という双方の要件を兼備した携帯用かばんを作成するのに適したものとなる。
【００２５】
また、ファスナー１８のリング１８ａに機種名のついたタグ１９を取付けることより、さらに宣伝効果が大きくなり、車両に対する広告・宣伝効果を上げることができる。
【００２６】
なお、本願発明は上記の実施形態に限定されるものではなく、発明の原理内において種々に変形や応用が可能である。例えば、燃料タンクに代えて、その外側を覆うタンクカバーを模したものとしてもよい。この場合も燃料タンク自体を模した場合と同様の効果がある。また、対象がカバーであるから、かばんに適用することが容易になる。さらに外観を模すべき他の車両用部品としては、中空の外観部品であればエンジン４，サイドカバー５，シート６等どのようなものでもよい。但し、デザイン的に優れて、一般人の好みに合致するとともに、しかも特定の車種を直観できるようなものが好ましい。
また、車両としては自動２輪車のみならず、４輪バギー車や汎用車両を含む４輪自動車等種々な車両が可能である。
【図面の簡単な説明】
【００２７】
【図１】携帯用かばんの外観を模す対象となる自動２輪車の側面図
【図２】自動２輪車の燃料タンクを模したタンクバックの斜視図
【図３】タンクバックの平面図
【図４】携帯電話の使用時にて前面部を前方から示した図
【図５】使用状態を示す図
【図６】タンクバックの構成部に分解して示す図
【符号の説明】
【００２８】
１：燃料タンク、４：エンジン、５：サイドカバー、６：シート、１０：タンクバック、１１：側面前部、１２：側面後部、１３：特定表示、１４：底部、１５：上面、１６：キャップ模様、１７：ファスナー、２０：前面部、２１：提げ手、２２：サブポケット、２３：携帯電話
【図１】
2005230341.tif 000003
【図２】
2005230341.tif 000004
【図３】
2005230341.tif 000005
【図４】
2005230341.tif 000006
【図５】
2005230341.tif 000007
【図６】
2005230341.tif 000008